(57)【要約】      （修正有）【課題】烏賊が抱きついても全く違和感を覚えることがない柔らかさであり、煩雑な製造工程を必要としない、烏賊釣り具における釣果の向上及び製造コストの低減を考慮した疑似餌を提供する。【解決手段】芯材部と、上記芯材部の外方に膨出する疑似餌本体部と、上記芯材部の後端部に設けられた釣り針部とを有し、上記疑似餌本体部は弾性体により形成されている。【選択図】図１
0003115080.tif 000002
【実用新案登録請求の範囲】
【請求項１】
芯材部と、上記芯材部の外方に膨出する疑似餌本体部と、上記芯材部の後端部に設けられた釣り針部とを有し、上記疑似餌本体部は弾性体により形成されていることを特徴とする烏賊釣り用疑似餌。
【請求項２】
上記疑似餌本体部の表面は被覆材により被覆されていることを特徴とする請求項１記載の烏賊釣り用疑似餌。
【請求項３】
上記被覆材は布材により形成され、上記布材の端部が熱溶着されて接合されていることを特徴とする請求項２記載の烏賊釣り用疑似餌。
【請求項４】
上記被覆材は布材により形成され、上記布材の端部は接着剤により接合されていることを特徴とする請求項２記載の烏賊釣り用疑似餌。
【請求項５】
上記芯材部は棒状であり、上記疑似餌本体部は上記芯材部の長さ方向に沿って配置され涙滴形状に形成されていることを特徴とする請求項１〜４記載の烏賊釣り用疑似餌。
【請求項６】
上記芯材部及び上記疑似餌本体部及び上記被覆材は、透明性を有する素材で形成されていることを特徴とする請求項２〜５記載の烏賊釣り用疑似餌。
【請求項７】
上記布材は、複数の色彩が付されて形成されていることを特徴とする請求項３〜６記載の烏賊釣り用疑似餌。
【請求項８】
上記疑似餌本体部及び上記芯材部は、インジェクション成型可能な素材で形成されていることを特徴とする請求項１〜７記載の烏賊釣り用疑似餌。
【請求項９】
上記芯材部の素材は、ポリカーボネートであることを特徴とする請求項１〜８記載の烏賊釣り用疑似餌。
【請求項１０】
上記疑似餌本体部は、エラストマーにより形成されていることを特徴とする請求項１〜９記載の烏賊釣り用疑似餌。
【考案の詳細な説明】
【技術分野】
【０００１】
本考案は擬似餌に係り、特に、烏賊釣り用擬似餌に関するものである。
【背景技術】
【０００２】
「エギ」「スッテ」と呼ばれる烏賊釣り用擬似餌は、従来、魚等生餌に似せた疑似餌本体部が硬質の樹脂により形成され、上記疑似餌本体部の前端部には釣り糸が係止され、上記疑似餌本体部の後端部には釣り針部が取付けられて構成されているのが一般的である。
烏賊は、上記のように構成されている疑似餌を本物の生餌であるかのように思い、疑似餌本体部に抱きついてくる。
烏賊釣りは、烏賊が疑似餌に抱きついている状態を重み等により察知し、タイミングよく釣り針部に引っ掛けて釣り上げることにより行われる。
【０００３】
上記のような方法で烏賊を釣り上げるため、烏賊を釣り針部に引っ掛けるタイミングは、烏賊が疑似餌に抱きついている時間に左右される。
つまり、烏賊が抱きついている時間が短いと、タイミングを図ることができる時間も短くなり、烏賊を釣り上げるには熟練を要する事ととなるが、烏賊が抱きついている時間が長いと、タイミングを図ることができる時間も長くなり、容易に烏賊を釣り上げることができるようになる。
一般的に、プラスチック等の硬質の樹脂により形成されている疑似餌の場合、烏賊が疑似餌に抱きついた際に違和感を覚えるのが早く、抱きついている時間が短いことが知られている。
一方、弾性を有した素材等柔らかい疑似餌の場合、烏賊が疑似餌に抱きついた際に違和感を覚えにくく、抱きついている時間が長くなる。
したがって、烏賊釣りにおいては、柔らかい疑似餌本体部により形成することが望ましく、これまでに柔らかく改良した烏賊釣り用疑似餌がいくつか存在している。
【０００４】
改良の一例として、硬質の樹脂により形成されている疑似餌本体部と、上記疑似餌本体部の表面を被覆している綿材が設けられており、上記綿材の端部が接合され、糸により縫合されている烏賊釣り用疑似餌が存在する（例えば、特許文献１参照。）。
また、その他の改良例として、硬質の樹脂により形成されている疑似餌本体部と、上記疑似餌本体部の表面を巻回している弾性体と、上記弾性体の表面を巻回している布材が設けられている烏賊釣り用疑似餌が開示されている（例えば、特許文献２参照。）。
また、その他の改良例として、プラスチック材あるいは木材により形成されている疑似餌本体部の一部分が軟質素材により形成されている烏賊釣り用疑似餌が開示されている（例えば、特許文献３参照。）。
【０００５】
上記のように構成された烏賊釣り用疑似餌は、上記いずれの改良例においても、本体の表面が柔らかい素材により被覆されているので、従来の硬質素材の表面に比べ柔らかく、烏賊が抱きついた際に違和感を覚えにくい。
その結果、繰り返し使用しても烏賊がすぐに本体を離し難くなり、タイミングを合わせて上手く釣り針に烏賊を引っ掛けて釣り上げ易くなる。
【０００６】
しかしながら、上記いずれの改良例であっても、疑似餌本体部が硬質素材により形成されているため、硬質素材により発生する違和感を完全に解消することができない。
烏賊が抱きついた際に違和感を覚えにくい柔らかさは、疑似餌本体部が柔らかい程、抱きつき効果が向上する。
また、以下の１）〜２）に示すように、人手を介して行う作業が少なくとも一工程含まれており、結果的に製造コストが嵩むこととなる。
１）  綿材の端部同士を縫合する工程（特許文献１）。
２）  弾性体を巻回した後に、その表面に表布を巻回する工程（特許文献２）。
３）  本体の一部に軟質素材を組み合わせる工程（特許文献３）。
【０００７】
【特許文献１】特許３４８６５９３号公報
【特許文献２】特開２００３−２５９７６８号公報
【特許文献３】実登３０８６５５７号公報
【考案の開示】
【考案が解決しようとする課題】
【０００８】
そこで、本考案の課題は、烏賊が抱きついても全く違和感を覚えることがない柔らかさであり、煩雑な製造工程を必要としない、烏賊釣り具における釣果の向上及び製造コストの低減を考慮した疑似餌を提供することにある。
【課題を解決するための手段】
【０００９】
上記目的を達成するために、請求項１記載の考案は、芯材部と、上記芯材部の外方に膨出する疑似餌本体部と、上記芯材部の後端部に設けられた釣り針部とを有し、上記疑似餌本体部は弾性体により形成されている。
【００１０】
即ち、請求項１記載の本考案に係る烏賊釣り用疑似餌にあっては、柔らかい素材の疑似餌本体部を形成することができるように、芯材部の外方に膨出する疑似餌本体部が弾性体により形成されている。
【００１１】
また、請求項２記載の考案は、上記疑似餌本体部の表面は被覆材により被覆されている。
【００１２】
即ち、請求項２記載の本考案に係る烏賊釣り用疑似餌にあっては、疑似餌本体部の表面が疑似餌本体部とは異なる素材により被覆されている。
【００１３】
また、請求項３記載の考案は、上記被覆材は布材により形成され、上記布材の端部が熱溶着されて接合されている。
【００１４】
また、請求項４記載の考案は、上記被覆材は布材により形成され、上記布材の端部は接着剤により接合されている。
【００１５】
即ち、請求項３及び請求項４記載の本考案に係る烏賊釣り用疑似餌にあっては、糸材を使用せずに布材の端部を接合することができるように、上記布材の端部が熱溶着及び接着剤により接合されている。
【００１６】
また、請求項５記載の考案は、上記芯材部は棒状であり、上記疑似餌本体部は上記芯材部の長さ方向に沿って配置され涙滴形状に形成されている。
【００１７】
即ち、請求項５記載の本考案に係る烏賊釣り用疑似餌にあっては、生餌に似せた形状であり、かつ、柔らかい疑似餌が簡単な構成により形成されている。
【００１８】
また、請求項６記載の考案は、上記芯材部及び上記疑似餌本体部及び上記被覆材は、透明性を有する素材で形成されている。
【００１９】
即ち、請求項６記載の本考案に係る烏賊釣り用疑似餌にあっては、光が疑似餌から反射することにより、烏賊に疑似餌の存在を認識させ、生餌であるかのように思わせることができるように形成されている。
【００２０】
また、請求項７記載の考案は、上記布材は、複数の色彩が付されて形成されている。
【００２１】
即ち、請求項７記載の本考案に係る烏賊釣り用疑似餌にあっては、烏賊に疑似餌の存在を認識させ、生餌であるかのように思わせることができるように、生餌に似せた色彩が付されて形成されている。
【００２２】
また、請求項８記載の考案は、上記疑似餌本体部及び上記芯材部は、インジェクション成型可能な素材で形成されている。
【００２３】
即ち、請求項８記載の本考案に係る烏賊釣り用疑似餌にあっては、疑似餌本体部及び芯材部をインジェクション成型により製造することができる。
【００２４】
また、請求項９記載の考案は、上記芯材部の素材は、ポリカーボネートである。
【００２５】
即ち、請求項９記載の本考案に係る烏賊釣り用疑似餌にあっては、芯材部の剛性が高い素材により形成されている。
【００２６】
また、請求項１０記載の考案は、上記疑似餌本体部は、エラストマーにより形成されている。
【００２７】
即ち、請求項１０記載の本考案に係る烏賊釣り用疑似餌にあっては、常温付近で大きなゴム弾性を有する高分子物質により形成されている。
【考案の効果】
【００２８】
請求項１記載の本考案に係る烏賊釣り用疑似餌は、疑似餌本体部が柔らかい素材により形成されているため、烏賊が疑似餌本体部に抱きついた場合であっても、違和感を覚えにくくなる。
そのため、烏賊が疑似餌本体部から離れにくくなり、釣り針部に引っ掛けるタイミングを容易に図ることできることとなるため、烏賊の釣り上げを容易に行うことができるようになる。
したがって、疑似餌に抱きついた烏賊を逃がしてしまう頻度を減少させることができるため、烏賊釣り具における釣果を向上することができる。
【００２９】
また、請求項２記載の本考案に係る烏賊釣り用疑似餌は、被覆材に適宜着色した模様を付することにより烏賊を集まり易くすることができる。
【００３０】
また、請求項３〜４記載の本考案に係る烏賊釣り用疑似餌は、熱溶着及び接着剤による接合であるため、糸材を使用せずに被覆材の端部を接合することができる。
したがって、これまで煩雑であった縫合工程を省くことができるため、結果的に、製造コストを低減することができる。
【００３１】
また、請求項５記載の本考案に係る烏賊釣り用疑似餌は、生餌に似せた形状であり、かつ、柔らかい疑似餌が簡単な構成により形成されているため、単純な形状の型枠を用いて、より現実に即した疑似餌を製作することができる。
そのため、型枠を簡単に製作することができる。また、製造された疑似餌を被覆材により被覆する作業が容易になる。
したがって、製造コストを低減することができ、釣果を向上することができる疑似餌を製作することができる。
【００３２】
また、請求項６及び請求項７記載の本考案に係る烏賊釣り用疑似餌は、烏賊に疑似餌の存在を認識させ、生餌であるかのように思わせることができるため、烏賊の好奇心を引き付けやすくなり、結果として、疑似餌に抱きつきやすくなる。
したがって、抱きつきやすく、抱きついたら離れにくい疑似餌を製作することができるため、烏賊釣り具における釣果を向上することができる。
【００３３】
また、請求項８記載の本考案に係る烏賊釣り用疑似餌は、弾性体及び芯材部をインジェクション成型により製造することができるため、芯材成形から本体取付けまでの工程を型成形のみで行うことができることとなる。
したがって、人手による作業を省略することができ、大量生産が可能となるため、結果として、製造コストを低減することができる。
【００３４】
また、請求項９記載の本考案に係る烏賊釣り用疑似餌は、芯材部が従来のプラスチック製及び樹脂発泡製品に比して剛性が高いポリカーボネートにより形成されているため、釣り針の固定を強固に行うことができる。
したがって、深々度に疑似餌を投入した場合の使用にも耐えることができるようになる。
【００３５】
また、請求項１０記載の本考案に係る烏賊釣り用疑似餌は、常温付近で大きなゴム弾性を有する高分子物質であるエラストマーにより形成されているため、烏賊が抱きついた場合に、生餌であるかのように思わせる感触となる。
したがって、烏賊が疑似餌本体部から離れにくくなるため、結果として、疑似餌に抱きついた烏賊を逃がしてしまう頻度を減少させることができ、烏賊釣り具における釣果を向上することができる。
また、エラストマーは比重０．９であり、疑似餌として形成された場合に浮力を得ることができる。
したがって、芯材部の後端部に釣針が固定された場合であっても、水中に投入された場合に水平姿勢をとりやすく、釣果を向上することができる。
【考案を実施するための最良の形態】
【００３６】
以下、図面を用いて本考案を実施するための最良の形態について説明する。
本考案の烏賊釣り用疑似餌１０は、図１〜図３に示すように、芯材部１１と、上記芯材部１１の外方に膨出する疑似餌本体部１２と、上記芯材部１１の後端部に設けられた釣り針部１３とを有し、上記疑似餌本体部１２は弾性体により形成されている。
【００３７】
また、図１及び図２に示すように、上記疑似餌本体部１２の表面は被覆材１４により被覆されている。
【００３８】
また、図１及び図２に示すように、上記被覆材１４は布材により形成され、上記布材１４の端部１５，１６が熱溶着されて接合されている。
【００３９】
また、図３に示すように、上記芯材部１１は棒状であり、上記疑似餌本体部１２は上記芯材部１１の長さ方向に沿って配置され涙滴形状に形成されている。
【００４０】
また、図１〜図３に示すように、上記芯材部１１及び上記疑似餌本体部１２及び上記被覆材１４は、透明性を有する素材で形成されている。
【００４１】
また、図１及び図２に示すように、上記布材１４は、複数の色彩が付されて形成されている。
【００４２】
また、上記疑似餌本体部１２及び上記芯材部１１は、インジェクション成型可能な素材で形成されている。
【００４３】
また、上記芯材部１１の素材は、ポリカーボネートである。
【００４４】
また、上記疑似餌本体部１２は、エラストマーにより形成されている。
【実施例１】
【００４５】
以下、図面を用いて本考案の実施例１に係る烏賊釣り用疑似餌１０について説明する。
烏賊釣り用疑似餌１０は、芯材部１１と、上記芯材部１１の外方に膨出する疑似餌本体部１２と、上記芯材部１１の後端部に設けられた釣り針部１３とを有している。
また、上記疑似餌本体部１２は弾性体により形成されている。
【００４６】
上記芯材部１１は、図４に示すように、断面円形状の棒状により形成されている。
また、上記芯材部１１は、図４に示すように、軸部１８と、上記軸部１８の前端部に設けられた釣糸係止部１９とを有している。
【００４７】
上記釣糸係止部１９は、図４に示すように、テーパ状の基部２１と、上記基部２１の先端部側に形成された釣糸固定部２２とを有する。
上記基部２１の後端部４３は、図４に示すように、上記軸部１８よりも径大に形成されている。したがって、上記軸部１８に固定された上記疑似餌本体部１２の先端側のストッパとして機能する。
【００４８】
上記釣糸固定部２２は、図４に示すように、全体円柱状に形成され、下端部には貫通孔２３が径方向に形成されており、上記貫通孔２３内に釣り糸（図示せず）を挿通することができる。
また、図４に示すように、上記貫通孔２３の径方向両側上端縁を結ぶ溝部２４が設けられている。
【００４９】
上記溝部２４は、図４に示すように、上記貫通孔２３の一方側の径方向両側上端縁から先端部４４側に延設され、先端部４４上を径方向に亘り、上記貫通孔２３の他方側の径方向両側上端縁に至るように設けられている。
したがって、使用時には、釣糸を上記貫通孔２３の一方側から挿通して、上記溝部２４に掛け回して固定できるように構成されている。
【００５０】
上記釣り針部１３は、図１及び図２に示すように、固定部２５と、上記固定部２５の後端部に折曲形成された針部２６とを有する。
上記固定部２５は、図１及び図２に示すように、上記芯材部１１の後端部において長さ方向に沿って配置され、上記芯材部１１の周面方向にワイヤー２７により巻装されて固定されている。
また、上記固定部２５の後端部に形成されている上記針部２６は、上記芯材部１１から前端部方向に向かって設けられており、複数の上記針部２６により傘状に形成されている。
【００５１】
上記疑似餌本体部１２は、図３に示すように、上記芯材部１１の側面部から膨出して形成されている。
そのため、上記芯材部１１は、上記疑似餌本体部１２を長さ方向に径方向中間部において貫通するように設けられており、上記釣糸係止部１９の後端部４３と上記疑似餌本体部１２の前端部４５が当接した状態で固定されている。
また、上記疑似餌本体部１２は、図３に示すように、上記芯材部１１の長さ方向に沿って涙滴形状に形成され、最大径部１７が軸方向において先端部寄りに設けられ、先端部から最大径部までの間隔寸法Ｌ３と最大径部から後端部までの間隔寸法Ｌ４とが、略１：２に形成されている。
上記疑似餌本体部１２の素材は、所定の浮力（比重：０．９）を有したエラストマーにより形成されている。
したがって、疑似餌として形成された場合に浮力を得ることができるため、芯材部の後端部に釣針が固定された場合であっても、水中に投入された場合に水平姿勢をとりやすく、釣果を向上することができる。
なお、本実施例においては、上記疑似餌本体部１２を所定の浮力（比重：０．９）を有したエラストマーにより形成した場合を例に説明したが、本実施例に限定されず、水よりも比重が軽い素材に適用可能である。
【００５２】
また、上記疑似餌本体部１２の表面は被覆材１４により被覆されており、図１及び図２に示すように、一枚の被覆材１４を上記疑似餌本体１２の周面に沿って巻回することにより被覆されている。
また、図１及び図２に示すように、上記被覆材１４の幅方向の端部１５，１６が当接することにより、上記疑似餌本体部１２の長さ方向に沿って接合部２９が設けられている。
さらに、上記芯材部１１においては、糸材２８，２８が巻装され、上記被覆材１４の長さ方向の端部４１，４２を上記芯材部１１に対して固定している。
また、上記被覆材１４の素材は、ナイロン等の合成繊維であり、表面には、魚等生餌に似せるための模様４６が印刷されている。
上記被覆材１４の先端部側には、図１に示すように、一対の擬眼３０が幅方向の両側面部に設けられている。
【００５３】
なお、本実施例においては、上記被覆材１４として布材を用いた場合を例に説明したが、本実施例に限定されず、上記被覆材１４にコーティング材を適用することも可能である。
上記被覆材１４にコーティング材を適用する場合、上記布材等の繊維素材により発生する異物感を烏賊に感じさせない素材を用い、コーティング後の疑似餌の表面は、烏賊が抱きついた際に生餌であるかのように思わせることができるような凹凸部を有していることが望ましい。
【００５４】
上記被覆部１４の接合部２９は、図１に示すように、本実施例においては、上記疑似餌本体部１２の長さ方向に沿って、熱溶着により接合されている。
また、上記接合部２９は、上記被覆材１４から外方にわずかに突出して形成されている。
なお、本実施例においては、上記接合部２９を熱溶着により接合しているが、本実施例に限定されず、上記接合部２９を接着剤により接合することも可能である。
【００５５】
また、上記芯材部１１及び上記疑似餌本体部１２及び上記被覆材１４は、すべて透明度の高い素材で形成されている。
【００５６】
次に、上記烏賊釣り用擬似餌１０の製造工程について説明する。
図３に示す、上記芯材部１１及び上記疑似餌本体部１２は、インジェクション成型可能な素材で形成することにより、以下の工程での成型が可能である。本実施例においては、４個の烏賊釣り用疑似餌１０を一度に製作する例を一例として挙げる。
【００５７】
まず、インジェクション成型により上記芯材部１１を形成する芯材部形成工程について説明する。
上記芯材部形成工程には、図３及び図５に示すように、上記芯材部１１を厚さ方向に分割した形状の芯材部形成凹部３１，３１，３１，３１を有した上下一対の芯材用金型３２（上部金型は図示を省略する）と、熱可塑性の芯材用材料（本実施例においてはポリカーボネート）を用いる。
図５に示すように、上下一対の上記芯材用金型３２（上部金型は図示を省略する）を閉鎖した状態で、射出部（図示を省略する）で加熱されることにより流動性を有した芯材部用材料を、上記射出部から上記芯材部用金型３２に形成された流入部３３に射出する。
上記のように流入部３３に射出された上記芯材部用材料は、上記流入部３３から４方向に分岐された通路部３５，３５，３５，３５を通過して上記芯材部形成凹部３１，３１，３１，３１に流入して充填される。
充填された上記芯材用部材料を冷却固化させることにより、図４に示す芯材部１１が形成される。
【００５８】
次に、上記芯材部形成工程において作成された芯材部に対して、インジェクション成型により弾性に富む疑似餌本体部を形成する疑似餌本体部形成工程について説明する。
上記疑似餌本体部形成工程には、図３及び図６に示すように、上記疑似餌本体部１２と上記芯材部１１の形状の疑似餌形成凹部３７，３７，３７，３７を有した疑似餌本体部用金型３８（上部金型は図示を省略する）と、弾性を有した熱可塑性の疑似餌本体部用材料（本実施例においてはエラストマー）を用いる。
まず、図６に示すように、上記にて製作された上記芯材部１１，１１，１１，１１を上記疑似餌形成凹部３７，３７，３７，３７に配置し、上下一対の上記疑似餌本体部用金型３８（上部金型は図示を省略する）を閉鎖した状態で、射出部（図示を省略する）で加熱されることにより流動性を有した上記疑似餌本体部用材料を、上記射出部から上記疑似餌本体部用金型３８に形成された流入部３４に射出する。
上記のように流入部３４に射出された上記疑似餌本体部用材料は、上記流入部３４から４方向に分岐された通路部３６，３６，３６，３６を通過して上記疑似餌形成凹部３７，３７，３７，３７に流入して充填される。
この場合、あらかじめ配置されている上記芯材部１１が、上記疑似餌本体部１２を長さ方向に径方向中間部において貫通して形成するように充填されている。
充填された上記疑似餌本体部用材料を冷却固化させることにより、図３に示す、上記芯材部１１を有する上記疑似餌本体部１２が形成される。
【００５９】
このようにして型成形された上記芯材部１１を有する上記疑似餌本体部１２に被覆材１４を固定する。
即ち、熱溶着により、上記疑似餌本体部形成工程において形成された上記芯材部１１を有する上記疑似餌本体部１２に対し、上記被覆材１４を被覆して熱溶着により上記被覆材１４を固定する被覆材溶着工程について説明する。なお、本実施例においては上記被覆材溶着工程の図示を省略する。
上記被覆材溶着工程において、熱溶着可能な素材を用い、図１及び図２に示すように、一枚の被覆材を、上記工程で形成された上記芯材部１１を有する上記疑似餌本体部１２の周面に沿って巻回する。
次に、図１に示すように、端部１５，１６を当接することにより、上記疑似餌１０の長さ方向に沿って突条となるように接合部２９を設ける。
上記接合部２９を熱溶着により接合することにより、図１に示すように、上記疑似餌本体部１２の表面全域を被覆することができる。
【００６０】
最後に、上記被覆材溶着工程において形成された被覆材１４が被覆された上記疑似餌本体部１２を有する上記芯材部１１に対し、上記釣り針部１３を固定する釣り針部固定工程について説明する。なお、本実施例においては上記釣り針部固定工程の図示を省略する。
上記針部固定工程は、図１に示すように、複数の固定部２５と、上記固定部２５の後端部に形成されている針部２６を用いる。
また、図１及び図２に示すように、上記釣り針本体部２５を上記芯材部１１の後端部において長さ方向に沿って固定する。さらに、上記釣り針本体部２５の外周に糸材２７を巻回し、上記釣り針本体部２５と上記芯材部１１を圧接する。
上記の工程により、本実施例の烏賊釣り用疑似餌が形成されることとなる。
【００６１】
以下、上記実施例の作用について説明する。
上記実施例に係る烏賊釣り用疑似餌１０は、図１〜図３に示すように、芯材部１１の外方に膨出する疑似餌本体部１２が弾性体により形成されているため、柔らかい素材の上記疑似餌本体部１２を形成することができる。
上記のような構成であることから、烏賊が上記疑似餌本体部１２に抱きついた場合であっても、違和感を覚えにくくなる。
そのため、烏賊が上記疑似餌本体部１２から離れにくくなり、釣り針部１３に引っ掛けるタイミングを容易に図ることできることとなるため、烏賊の釣り上げを容易に行うことができるようになる。
したがって、上記疑似餌本体部１２に抱きついた烏賊を逃がしてしまう頻度を減少させることができるため、烏賊釣り具における釣果を向上することができる。
【００６２】
また、図１に示すように、上記疑似餌本体部１２の表面が布材１４により被覆されており、上記布材１４の端部１５，１６が熱溶着されて接合されているため、糸材を使用せずに上記布材１４の端部１５，１６を接合することができる。
したがって、これまで煩雑であった縫合工程を省くことができるため、結果的に、製造コストを低減することができる。
【００６３】
また、図３に示すように、上記芯材部１１は棒状であり、上記疑似餌本体部１２は上記芯材部１１の長さ方向に沿って配置され涙滴形状に形成されているため、生餌に似せた形状であり、かつ、柔らかい疑似餌を簡単に構成することができる。
したがって、単純な形状の型枠を用いて、より現実に即した疑似餌を製作することができる。また、製造された上記疑似餌１０を上記被覆材１４により被覆する作業が容易になる。
【００６４】
また、図１〜図３に示すように、上記芯材部１１及び上記疑似餌本体部１２及び上記布材１４は、透明性を有する素材で形成されている。さらに、上記布材１４の表面には、複数の色彩が付されて形成されている。
上記のような構成であるため、烏賊に上記疑似餌１０の存在を認識させ、生餌であるかのように思わせることができるため、烏賊の好奇心を引き付けやすくなり、結果として、上記疑似餌本体部１２に抱きつきやすくなる。
したがって、抱きつきやすく、抱きついたら離れにくい上記疑似餌１０を製作することができるため、結果的に、烏賊釣り具における釣果を向上することができる。
【００６５】
また、図１〜図３に示すように、上記疑似餌本体部１２及び上記芯材部１１は、インジェクション成型可能な素材で形成されているため、芯材成形から本体取付けまでの工程を型成形のみで行うことができることとなる。
したがって、人手による作業を省略することができ、大量生産が可能となるため、結果として、製造コストを低減することができる。
【００６６】
また、図１〜図３に示すように、上記芯材部１１の素材は、剛性が高い素材であるポリカーボネートであるため、上記釣り針部１３の固定を強固に行うことができる。
したがって、深々度に上記疑似餌１０を投入した場合の使用にも耐えることができるようになる。
【００６７】
また、図３に示すように、上記疑似餌本体部１２は、常温付近で大きなゴム弾性を有する高分子物質であるエラストマーにより形成されている。
上記のような構成であるため、烏賊が上記疑似餌本体部１２に抱きついた場合に、生餌であるかのように思わせる感触となる。
したがって、烏賊が上記疑似餌本体部１２から離れにくくなるため、結果として、上記疑似餌本体部１２に抱きついた烏賊を逃がしてしまう頻度を減少させることができ、烏賊釣り具における釣果を向上することができる。
【産業上の利用可能性】
【００６８】
本考案は、主に烏賊釣りに用いられる疑似餌に適用可能である。
【図面の簡単な説明】
【００６９】
【図１】本考案に係る烏賊釣り用疑似餌の一実施の形態を示す斜視図である。
【図２】本考案に係る烏賊釣り用疑似餌の一実施の形態を示し、被覆材が開口した状態を示す斜視図である。
【図３】本考案に係る烏賊釣り用疑似餌の一実施の形態を示し、疑似餌本体部と芯材部の関係を示す斜視図である。
【図４】本考案に係る烏賊釣り用疑似餌の一実施の形態を示し、芯材部を示す斜視図である。
【図５】本考案に係る烏賊釣り用疑似餌の一実施の形態を示し、芯材用金型を示す斜視図である。
【図６】本考案に係る烏賊釣り用疑似餌の一実施の形態を示し、疑似餌本体部用金型を示す斜視図である。
【符号の説明】
【００７０】
１０        疑似餌
１１        芯材部
１２        疑似餌本体部
１３        釣り針部
１４        布材（布材）
１５、１６  布材の幅方向の端部
１７        疑似餌本体部における最肉厚部（最大径部）
１８        軸部
１９        釣糸係止部
２１        基部
２２        釣糸固定部
２３        貫通孔
２４        溝部
２５        固定部
２６        針部
２７        ワイヤー
２８        糸材
２９        接合部
３０        擬眼
３１        芯材部形成凹部
３２        芯材用金型（下部のみ）
３３、３４  流入部
３５、３６  通路部
３７        疑似餌形成凹部
３８        疑似餌本体部用金型（下部のみ）
４１、４２  布材の長さ方向の端部
４３        基部（釣糸係止部）の後端部
４４        釣糸固定部の先端部
４５        疑似餌本体部の前端部
４６        模様
Ｌ１        芯材部の長さ寸法
Ｌ２        疑似餌本体部の最肉厚部の幅寸法
Ｌ３        芯材部の先端部から疑似餌本体部の最肉厚部までの間隔寸法
Ｌ４        疑似餌本体部の最肉厚部から芯材部の後端部までの間隔寸法
【図３】
0003115080.tif 000003
【図４】
0003115080.tif 000004
【図５】
0003115080.tif 000005
【図６】
0003115080.tif 000006
【図１】
0003115080.tif 000007
【図２】
0003115080.tif 000008